(57)【特許請求の範囲】
【請求項１】
受信器本体の上部に、ワイヤレス発信器からの呼出信号を受信したときに発光する呼出受信発光部を有するワイヤレス呼出受信器であって、
前記呼出受信発光部は、中央に孔部を形成した回路基板と、前記回路基板上に、前記回路基板の中央に形成した孔部を挟んで、各々の発光部の頂部が対向するように実装された、複数の発光ダイオードと、前記回路基板の孔部の下方に配設され、前記複数の発光ダイオードを消灯する消灯スイッチと、前記回路基板及び前記複数の発光ダイオードを覆うように設けられた透光カバーとを備え、
前記透光カバーは、その内面に突設するように設けられた操作突部を有し、前記透光カバーを上方から押圧操作したときに、前記操作突部が消灯スイッチを操作する構造にするとともに、前記透光カバーは、ストッパー突段部を両側に形成した基底部の上方にカマボコ状の湾曲面を設けた構造とされており、前記ストッパー突段部を、前記受信器本体を構成する表カバー、裏カバーの各々に形成した開口縁に、上下に移動可能に嵌入させた構造としている、ワイヤレス呼出受信器。
【請求項２】
前記透光カバーの操作突部には、スプリングが外嵌されており、前記透光カバーは、常時は、スプリングの弾性力によって、前記消灯スイッチを押圧しない状態に保持されている、請求項１に記載のワイヤレス呼出受信器。
【請求項３】
前記回路基板が、前記受信器本体を構成する表カバー、裏カバーの各々の内面に対向して突設された受け止め部によって、挟まれる状態に固定されている、請求項１又は請求項２ワイヤレス呼出受信器。
【請求項４】
前記複数の発光ダイオードの各々のリードが、Ｌ字状に折曲げられて、前記回路基板に実装されている、請求項１〜３のいずれかに記載のワイヤレス呼出受信器。
【請求項５】
前記透光カバーが、前記受信器本体の表カバー、裏カバー側に露見する両側面部分が、前記カマボコ状の湾曲面の上側稜線に対応した、下側谷線を有する輪郭形状に形成されている、請求項１〜４のいずれかに記載のワイヤレス呼出受信器。
【発明の詳細な説明】
【０００１】
【発明の属する技術分野】
本発明は、ワイヤレス発信器からの呼出信号を受信したときに、発光する呼出受信発光部を設けたワイヤレス呼出受信器に関し、特に、呼出受信発光部の全面を均等に光らせることができ、呼出受信発光部を消灯させる際の呼出受信発光部の押し操作の感触にも優れ且つ呼出受信発光部を薄くできるようにした、ワイヤレス呼出受信器に関する。
【０００２】
【従来の技術】
近時、複数のワイヤレス発信器から微弱電波を伝送してチャイムや救急受信器等のワイヤレス呼出受信器を無線方式で作動させるようにした、ワイヤレスシステムが、家庭内やオフィスなどにおいて、幅広く使用されるようになっている。図１１は、従来のワイヤレスシステムにおいて使用されているワイヤレス呼出受信器の一例を概略的に示す正面図である。
【０００３】
このワイヤレス呼出受信器Ｃは、ワイヤレス呼出受信器Ｃに、ＩＤコードが登録された複数のワイヤレス発信器Ｄ、・・・、Ｄから発信されてきた信号を、アンテナ１１１が受信すると、ワイヤレス呼出受信器Ｃの受信器本体１１２の正面側に、複数のワイヤレス発信器Ｄ、・・・、Ｄの各々に対応して設けられた着信ランプ１１８ａ、・・・、１１８ａが、所定時間、複数のワイヤレス発信器Ｄ、・・・、Ｄの各々に対応して設けられた固有の呼出音とともに、点滅するようにされている。
【０００４】
【発明が解決しようとする課題】
しかしながら、従来のワイヤレス呼出受信器Ｃは、図１１に示したように、着信ランプ１１８ａ、・・・、１１８ａが、受信器本体１１２の正面側にのみ設けられ、裏面側（図示せず）からは見えず、しかも、着信ランプ１１８ａ、・・・、１１８ａの各々が小さく、また、光源の各々が、１個の発光ダイオード（図示せず）で構成されているため、着信ランプ１１８ａ、・・・、１１８ａの各々の点灯時の輝度が低く視認性が悪いという問題がある。
【０００５】
本発明者等は、ワイヤレス呼出受信器Ｃの着信ランプ１１８ａ、・・・、１１８ａの視認性が悪いという問題を解決するために、受信器本体１１２の正面側のみならず裏面側からも、複数のワイヤレス発信器Ｄ、・・・、Ｄのいずれかから発信されてきた信号を、アンテナ１１１が受信したときに、着信があったことを報知する大きな呼出受信発光部を受信器本体１１２の上面にやや飛び出すように設ければよいのではないか、と考えるに至った。
【０００６】
図９は、本発目者等が最初に考えだした、ワイヤレス呼出受信器の一例を概略的に示す正面図である。このワイヤレス呼出受信器Ｃ１は、ワイヤレス発信器（図示せず）から発信されてきた信号を、アンテナ１１１が受信すると、呼出受信発光部１０１が、所定時間、点滅するようにされている。呼出受信発光部１０１は、発信器本体１１２に設けられた開口部ｈ３内に、上下方向に移動可能に収容されており、発信器本体１１２の上部から僅かに突出するように設けられている。
【０００７】
呼出受信発光部１０１は、図１０（ａ）に示すように、回路基板１０２と、回路基板１０２上に実装された複数の発光ダイオード１０３、１０３と、回路基板１０２上に実装され、複数の発光ダイオード１０３、１０３を消灯するための消灯スイッチ１０４と、回路基板１０２、複数の発光ダイオード１０３、１０３及び消灯スイッチ１０４を覆うように設けられた透光カバー１０５とを備える。
【０００８】
回路基板１０２は、発信器本体１１２の内部に、ネジ１０６、１０６により固定されており、複数の発光ダイオード１０３、１０３の各々は、回路基板１０２に対して、傾かないように、発光部１０３ａ、１０３ａが垂直に立設するように取り付けられている。そして、呼出受信発光部１０１の大きさに比例して、発光ダイオード１０３の数を増やすようにして、呼出受信発光部１０１が明るく光るようにしている。
【０００９】
消灯スイッチ１０４は、その内部にスプリング（図示せず）が設けられており、常時は、スプリング（図示せず）の弾性力によって、消灯スイッチ１０４を押圧しない状態に保持されている。また、透光カバー１０５は、発信器本体１１２の呼出受信発光部収容穴ｈ３内に、上下方向に移動可能に収容されており、その内面には、操作突部１０５ａが突設するように設けられており、透光カバー１０５を上方から押圧操作したときに、操作突部１０５ａが消灯スイッチ１０４を押し操作するようになっている。
【００１０】
このワイヤレス呼出受信器Ｃ１では、ワイヤレス発信器（図示せず）から呼出信号を受信すると、複数の発光ダイオード１０３、１０３が点滅することで、呼出受信発光部１０１が所定時間点滅を繰り返し、途中で、呼出受信発光部１０１をの点滅を止めたいときには、透光カバー１０５を上方から押圧すると、操作突部１０５ａが消灯スイッチ１０４を押圧し、これにより、複数の発光ダイオード１０３、１０３が消灯し、呼出受信発光部１０１の点滅も解除され、呼出受信発光部１０１が、消灯するようになっている。
【００１１】
しかしながら、従来の呼出受信発光部１０１の構成では、図９に示すように、発信器本体１１２を横方向に見た場合、呼出受信発光部１０１が薄く僅かに見えるだけで、呼出受信発光部１０１の点滅時の視認性があまりよくない、という問題がある。また、複数の発光ダイオード１０３、１０３と消灯スイッチ１０４とが、回路基板１０２上に設けられているため、複数の発光ダイオード１０３、１０３が点灯した時に、消灯スイッチ１０４により影Ｓができ、呼出受信発光部１０１の全面を均等に光らせることができないという問題がある。このため、従来は、複数の発光ダイオード１０３、１０３が点灯した時に、少しでも、呼出受信発光部１０１に暗い部分ができないように、消灯スイッチ１０４を、回路基板１０２の角部側に近い位置に取り付けるようにしている（図１０（ｂ）を参照）。
【００１２】
しかしながら、図１０（ｂ）に示すように、消灯スイッチ１０４を、回路基板１０２の角部側に近い位置に取り付けた場合でも、複数の発光ダイオード１０３、１０３の点灯時に、呼出受信発光部１０１に、消灯スイッチ１０４の影Ｓによって、暗い部分ができるという現象を完全には無くすことができないという問題がある。
【００１３】
また、このように、消灯スイッチ１０４を、回路基板１０２の角部側に近い位置に取り付けた場合には、図１０（ａ）に示すように、透光カバー１０５の操作突部１０５ａも、消灯スイッチ１０４の位置に合わせて、透光カバー１０５の端の方に設けなければならず、このように、消灯スイッチ１０４及び操作突部１０５ａを設けた呼出受信発光部１０１は、回路基板１０２の中央に消灯スイッチ１０４を設けるとともに、これに対応させて、透光カバー１０５の中央に操作突部１０５ａを設けた呼出受信発光部（図示せず）に比べ、複数の発光ダイオード１０３、１０３を消灯させる時の呼出受信発光部１０１の押圧感触が悪くなってしまう、という問題があり、複数の発光ダイオード１０３、１０３の点灯時に、呼出受信発光部１０１に、消灯スイッチ１０４の影Ｓによって、暗い部分ができず、且つ、複数の発光ダイオード１０３、１０３を消灯させる時の呼出受信発光部１０１の押圧感触にも優れた呼出受信発光部を有するワイヤレス呼出受信器の開発が望まれている。
【００１４】
また、従来の呼出受信発光部１０１は、消灯スイッチ１０４の影Ｓを小さくするため、複数の発光ダイオード１０３、１０３の各々が、消灯スイッチ１０４の高さより高くなるように、複数の発光ダイオード１０３、１０３を回路基板１０２に垂直に取り付けているが、このような配置にすると、呼出受信発光部１０１の高さが高くなり、呼出受信発光部１０１を薄くすることができず、呼出受信発光部１０１の形状を所望の形状にすることができないという問題もある。
【００１５】
更に、上述したように、従来の呼出受信発光部１０１では、回路基板１０２は、発信器本体１１２の内部に、ネジ１０６、１０６により固定しているが、透光カバー１０５を上方から押圧した時に、消灯スイッチ１０４が正確に押し操作されるようにするためには、回路基板１０２を、発信器本体１１２の内部の所定の位置に、回路基板１０２の表面と、透光カバー１０５に設けられた操作突部１０５ａとが、垂直になるように、且つ、操作突部１０５ａと消灯スイッチ１０４とが正確に向き合う位置に、ネジ止めしなければならず、回路基板１０２を発信器本体１１２の内部に取り付ける工程が難しく、より簡単に、回路基板１０２を発信器本体１１２の内部の所定の位置に正確に取り付けることができる技術の開発も望まれている。
【００１６】
本発明は、以上のような問題を解決するためになされたものであって、ワイヤレス発信器からの呼出信号を受信したとき、発光する呼出受信発光部を設けたワイヤレス呼出受信器に関し、特に、呼出受信発光部の全面を均等に光らせることができるとともに、呼出受信発光部を消灯させる際の呼出受信発光部の押し操作の感触にも優れ、更には、呼出受信発光部の発光時の視認性にも優れ、呼出受信発光部の薄型化をも図ったワイヤレス呼出受信器、並びに、そのようなワイヤレス呼出受信器であって、極めて簡単に、呼出受信発光部を組み立ることができるようにした、ワイヤレス呼出受信器を提供することを目的としている。
【００１７】
【課題を解決するための手段】
請求項１に記載のワイヤレス受信器は、受信器本体の上部に、ワイヤレス発信器からの呼出信号を受信したときに発光する呼出受信発光部を有するワイヤレス呼出受信器であって、呼出受信発光部は、中央に孔部を形成した回路基板と、回路基板上に、回路基板の中央に形成した孔部を挟んで、それぞれの発光部の頂部が対向するように実装された、複数の発光ダイオードと、回路基板の孔部の下方に配設され、複数の発光ダイオードを消灯する消灯スイッチと、回路基板及び複数の発光ダイオードを覆うように設けられた透光カバーとを備え、透光カバーは、その内面に突設するように設けられた操作突部を有し、透光カバーを上方から押圧操作したときに、操作突部が消灯スイッチを操作する構造にするとともに、前記透光カバーは、ストッパー突段部を両側に形成した基底部の上方にカマボコ状の湾曲面を設けた構造とされており、前記ストッパー突段部を、前記受信器本体を構成する表カバー、裏カバーの各々に形成した開口縁に、上下に移動可能に嵌入させた構造としている。
【００１８】
ここで、「回路基板の中央に形成した孔部を挟んで、それぞれの発光部の頂部が対向するように実装された、複数の発光ダイオード」は、回路基板の中央に形成した孔部を挟んで、それぞれの発光部の頂部が対向するように実装された、少なくとも一対の発光ダイオードと同じ意味である。このワイヤレス受信器では、呼出受信発光部を構成する回路基板として、中央に孔部を形成したものを用い、消灯スイッチを、回路基板上に実装するのではなく、回路基板の孔部の下方に配設するようにし、回路基板上から、消灯スイッチを無くす構成としている。これにより、回路基板上に取り付ける、複数の発光ダイオードの各々を点灯させても、消灯スイッチによる影ができない。
【００１９】
したがって、複数の発光ダイオードの各々を、回路基板に、寝かせるように取り付けても影ができることがない。これにより、呼出受信発光部を薄くすることができる。また、このワイヤレス呼出受信器では、呼出受信発光部に暗い部分ができ難くするために、回路基板の角部側に、消灯スイッチを取り付ける必要が無い。これにより、消灯スイッチを回路基板の中央の下方に設けることができ、これに対応させて、複数の発光ダイオードを消灯する消灯スイッチを押し操作する操作突部も、透光カバーの中央に設けることができるため、複数の発光ダイオードを消灯させる時の呼出受信発光部の押圧感触にも優れている。
【００２０】
また、このワイヤレス呼出受信器では、複数の発光ダイオードを、回路基板上に、回路基板の中央に形成した孔部を挟んで、複数の発光ダイオードの各々の発光部の頂部が対向するように実装し、複数の発光ダイオードの各々の発光部が密集するようにしたので、呼出受信発光部を外側から見ると、複数の発光ダイオードが点灯した時に、一つの光源が点灯したよう見えるので、光源輝度が高い。これによっても、呼出受信発光部の点灯時の視認性が向上する。
【００２１】
さらに、透光カバーは、ストッパー突段部を両側に形成した基底部の上方にカマボコ状の湾曲面を設けた構造とされており、ストッパー突段部を、受信器本体を構成する表カバー、裏カバーの各々に形成した開口縁に、上下に移動可能に嵌入させた構造を有している。
【００２２】
このワイヤレス呼出受信器では、透光カバーに、上方にカマボコ状の湾曲面を設け、表面積を大きくしている。これにより、複数の発光ダイオードが点灯したときに、大きな表面積を有するカマボコ状の湾曲面が光り、湾曲面から放射状に光るので、複数の発光ダイオードが点灯したときの視認性に優れている。また、丸みを帯びているので、看者に、柔らかいイメージを与えるので、デザイン的にも美しい。
【００２３】
また、透光カバーの両側にストッパー突段部を形成し、受信器本体を構成する表カバー、裏カバーの各々に形成した開口縁に、上下に移動可能に嵌入させる構造としているので、表カバーに形成した開口縁と裏カバーに形成した開口縁との間に、透光カバーを配置すれば、後は、表カバーと裏カバーとを接合するだけで、透光カバーを受信器本体へ取り付けることができる。これによっても、呼出受信発光部の組立を容易に行える。
【００２４】
さらに、ストッパー突段部を両側に形成した基底部の上方にカマボコ状の湾曲面を設けた構造は、モールドにより作製できるので、透光カバーの製造コストを低く抑えることができる。
【００２５】
請求項２に記載のワイヤレス呼出受信器は、請求項１に記載のワイヤレス呼出受信器の、透光カバーの操作突部には、スプリングが外嵌されており、透光カバーは、常時は、スプリングの弾性力によって、消灯スイッチを押圧しない状態に保持されている。このワイヤレス呼出発信器では、透光カバーの操作突部にスプリングを外嵌すという簡単な構造で、透光カバーの保持構造が形成されるので、呼出受信発光部の組立てを容易に行える。
【００２６】
請求項３に記載のワイヤレス呼出受信器は、呼出受信発光部を構成する回路基板と受信器本体との好ましい取付け構造を提案するものであって、請求項１又は請求項２に記載のワイヤレス呼出受信器の、回路基板が、受信器本体を構成する表カバー、裏カバーの各々の内面に対向して突設された受け止め部によって、挟まれる状態に固定されている。
【００２７】
このワイヤレス呼出受信器では、回路基板を、受信器本体を構成する表カバー、裏カバーの各々の内面に対向して突設された受け止め部によって、挟んでに固定できるようにしているので、表カバーの内面に裏カバー方向に突設された受け止め部と、裏カバーの内面に表カバー方向に突設された受け止め部との間に、回路基板を配置すれば、後は、表カバーと裏カバーとを接合するだけで、回路基板を受信器本体へ取り付けることができる。これによっても、呼出受信発光部の組立を容易に行える。
【００２８】
請求項４に記載のワイヤレス呼出受信器は、呼出受信発光部を構成する発光ダイオードの発光部を回路基板に寝かすようにして取り付けることのできる発光ダイオードの形状を提案するもので、請求項１〜３のいずれかに記載のワイヤレス呼出受信器の、複数の発光ダイオードの各々のリードが、Ｌ字状に折曲げられて、回路基板に実装されている。
【００２９】
このワイヤレス呼出受信器では、複数の発光ダイオードの各々のリードをＬ字状に折曲げたので、通常の方法にしたがって、リードの終端を回路基板に縦方向になるようにして、半田付け等の手段を用いて取り付けるだけで、容易且つ簡単に、複数の発光ダイオードの各々が、回路基板に、各々の発光部を寝かすようにして、実装される。これによっても、呼出受信発光部の組立を容易に行える。
【００３０】
請求項５に記載のワイヤレス呼出受信器は、請求項１〜４のいずれかに記載のワイヤレス呼出受信器の、透光カバーが、受信器本体の表カバー、裏カバー側に露見する両側面部分が、カマボコ状の湾曲面の上側稜線に対応した、下側谷線を有する輪郭形状に形成されている。このワイヤレス呼出受信器では、受信器本体の表カバー、裏カバー側に露見する両側面部分を、カマボコ状の湾曲面の上側稜線に対応した、下側谷線を有する輪郭形状に形成したので、透光カバーのカマボコ状の湾曲面にした部分の両側面が、その中央部において大きくなるので、受信器本体を正面方向又は裏面方向に見た場合の呼出受信発光部の視認性が優れている。
【００３１】
【発明の実施の形態】
以下、本発明について、図面を参照しながら更に詳しく説明する。図１は、本発明に係るワイヤレス呼出受信器の要部である呼出受信発光部の一例を概略的に示す分解斜視図を、また、図２は、本発明に係るワイヤレス呼出受信器の外観構成を概略的に示す図であり、図２（ａ）は、ワイヤレス呼出受信器を正面から見た状態を概略的に示す正面図を、図２（ｂ）は、図２（ａ）に示すワイヤレス呼出受信器を、図２（ａ）中に示す矢印Ｉ方向に見た概略的な側面図である。また、図３は、図１に示す呼出受信発光部を構成する、複数の発光ダイオードと、回路基板との構成を更に詳しく説明する、概略的な分解斜視図であり、また、図４は、複数の発光ダイオードと、回路基板との構成を更に詳しく説明する、側面図であり、図４（ａ）は、図１中に示す矢印ＩＩ方向に見た概略的な側面図であり、また、図４（ｂ）は、図１中に示す矢印ＩＩＩ方向に見た概略的な側面図である。
【００３２】
また、受信器本体１２は、表カバー１２ａと、裏カバー１２ｂとを備える。呼出受信発光部１は、図１及び図３に示すように、回路基板２と、回路基板２上に実装された複数の発光ダイオード３、・・・、３と、複数の発光ダイオード３、・・・、３を消灯する消灯スイッチ４と、回路基板２及び複数の発光ダイオード３、・・・、３を覆うように設けられた透光カバー５とを備える。
【００３３】
この呼出受信発光部１は、以下の構成が、図９及び図１０に示した、呼出受信発光部１０１と、特に、異なっている。即ち、回路基板２の中央には、孔部ｈ２が形成されており、また、複数の発光ダイオード３、・・・、３は、回路基板２上に、回路基板２の中央に形成した孔部ｈ２を挟んで、各々の発光部３ａ、・・・、３ａの頂部の各々が、対向するように実装されている。
【００３４】
また、複数の発光ダイオード３、・・・、３の各々は、回路基板２上に、各々の発光部３ａ、・・・、３ａを回路基板２に対して寝かせるようにして実装されている。より詳しく説明すると、複数の発光ダイオード３、・・・、３の各々は、回路基板２の中央に形成した孔部ｈ２を挟むようにして、各々の発光部３ａ、・・・、３ａの頂部が対向するようにし、各々の発光部３ａ、・・・、３ａが密集するように、回路基板２上に実装されている。
【００３５】
なお、この例では、複数の発光ダイオード３、・・・、３は、２つのグループ３Ａ、３Ｂ（この例では、３個の発光ダイオード（３、３、３）が、グループ３Ａを構成し、３個の発光ダイオード（３、３、３）が、グループ３Ｂを構成している。）にされており、２つのグループ３Ａ、３Ｂの各々に含まれる、複数の発光ダイオードの各々（３、３、３）、（３、３、３）は、２つのグループ３Ａ、３Ｂの各々内において、各々（３、３、３）、（３、３、３）の頂部が、各々、孔部ｈ２の方向を向くようにされている。
【００３６】
また、複数の発光ダイオード３、・・・、３の各々は、各々のリード３ｂ、・・・、３ｂが、Ｌ字状に折曲げられて、回路基板２に実装されている。また、消灯スイッチ４は、図１に示すように、回路基板２の孔部ｈ２の下方に配設されている。この例では、消灯スイッチ４は、回路基板２の下方に、回路基板２に対して、概ね垂直方向に配置され、且つ、このワイヤレス呼出受信器Ａを動作させる電気回路部品が実装された回路基板８上に、その押し操作部４ａが、回路基板２に設けられた孔部ｈ２方向を向くようにして、取り付けられている。
【００３７】
透光カバー５は、透光性樹脂で製されている。そして、その内面には、操作突部５ａが突設するように設けられている。この例では、透光カバー５は、乳白色の透光性樹脂で製されており、操作突部５ａは、回路基板２の中央に設けられた孔部ｈ２に整列するように、透光カバー５の内面に突設するように設けられており、操作突部５ａには、スプリング７が外嵌されている。また、透光カバー５は、ストッパー突段部５ｂ、５ｂを両側に形成した基底部５ｃの上方にカマボコ状の湾曲面５ｄを設けた構造とされている。
【００３８】
また、この例では、透光カバー５の正面５ｅ１、裏面５ｅ２には、各々、凸レンズの断面形状をした凸部５ｆ、５ｆが形成されている。凸部５ｆ、５ｆの各々は、透光カバー５を上から押し操作すると、受信器本体１２の開口部ｈ１を形成する開口縁１２ｃ、１２ｃの各々に当接し、透光カバー５が過度に押し操作されても、透光カバー５が、一定距離、下方に移動すると、それ以上は、下方に移動しないようにされている。
【００３９】
図５は、呼出受信発光部１の構成及び動作を概略的に説明する断面図であり、図５（ａ）は、図１中、ＩＶ−ＩＶ線にしたがう概略的な断面図であって、透光カバー５が押し操作されていない時の状態を示しており、また、図５（ｂ）は、図１中、Ｖ−Ｖ線にしたがう概略的な断面図であって、透光カバー５が押し操作された時の状態を、各々、示している。
【００４０】
呼出受信発光部１では、図５（ａ）に示すように、透光カバー５は、常時は、スプリング６の弾性力によって、消灯スイッチ４を押圧しない状態に保持されている。より詳しく説明すると、透光カバー５は、押し操作がされていないときには、操作突部５ａに外嵌されたスプリング７が、回路基板２と透光カバー５との間を、その復元力によって、透光カバー５を上方に押し上げようとし、このスプリング７の透光カバー５を上方に押し上げようとする力が、受信器本体１２（表カバー１２ａ及び裏カバー１２ｂ）の開口縁１２ｃ、１２ｃとストッパー突段部５ｂ、５ｂとの当接によって阻止され、透光カバー５が、受信器本体１２（表カバー１２ａ及び裏カバー１２ｂ）の上面の内面にひっついた状態になる。
【００４１】
したがって、この状態では、透光カバー５の操作突部５ａは、消灯スイッチ４の押し操作部４ａを押圧しない状態に保持される（図５（ａ）を参照）。他方、透光カバー５を、その上方から押圧操作したときには、スプリング７が、押圧操作により弾性変形して縮み、透光カバー５の操作突部５ａが、消灯スイッチ４の押し操作部４ａを押し操作する（図５（ａ）を参照）。
【００４２】
尚、消灯スイッチ４の押し操作部４ａは、消灯スイッチ４内に設けられたバネ等の弾性体により、操作突部５ａによる押し操作部４ａの押し操作が解除されると、バネ等の弾性体の復元力により、押し操作部４ａの押し操作も解除されるようになっている。したがって、このワイヤレス呼出受信器Ａでは、ワイヤレス発信器（図示せず）から発信されてきた信号を、アンテナ１１が受信し、呼出受信発光部１が、所定時間、点滅している最中の任意の時に、呼出受信発光部１をの点滅を止めたいときには、透光カバー５を上方から押し操作すると、複数の発光ダイオード３、・・・、３が消灯し、これにより、呼出受信発光部１の点滅も解除され、呼出受信発光部１が消灯する。
【００４３】
このワイヤレス受信器Ａでは、複数の発光ダイオード３、・・・、３の各々を点灯させても、消灯スイッチ４による影ができないので、複数の発光ダイオード３、・・・、３の各々を、回路基板に、寝かせるように取り付けても影ができることがない。これにより、このワイヤレス受信器Ａでは、複数の発光ダイオード３、・・・、３の発光部３ａ、・・・、３ａの各々の頂部を、孔部ｈ１を挟むようにして、対向するように回路基板２に寝かせるように取り付けるのことができので、呼出受信発光部１を薄くすることができる。
【００４４】
また、消灯スイッチ４を回路基板２の中央の下方に設けることができ、これに対応させて、複数の発光ダイオード３、・・・、３を消灯する消灯スイッチ４を押し操作する操作突部５ａも、透光カバー５の中央に設けることができるため、複数の発光ダイオード３、・・・、３を消灯させる時の呼出受信発光部１の押圧感触にも優れている。
【００４５】
また、このワイヤレス呼出受信器Ａでは、複数の発光ダイオード３、・・・、３を、回路基板２上に、回路基板２の中央に形成した孔部ｈ１を挟んで、複数の発光ダイオード３、・・・、３の各々の発光部の頂部が対向するように実装し、複数の発光ダイオード３、・・・、３の各々の発光部３ａ、・・・、３ａが密集するようにしたので、呼出受信発光部１を外側から見ると、発光ダイオード３、・・・、３が点灯した時に、一つの光源が点灯したようなるので、光源輝度が高い。これによっても、呼出受信発光部の点滅時の視認性が向上する。
【００４６】
更に、このワイヤレス呼出発信器Ａでは、透光カバー５の操作突部５ａにスプリング７を外嵌するという簡単な構造で、透光カバー５の保持構造が形成されるので、呼出受信発光部１の組立てを容易且つ簡単に行える。また、透光カバー５に、上方にカマボコ状の湾曲面５ｄを設け、表面積を大きくしている。これにより、複数の発光ダイオード３、・・・、３が点灯したときに、大きな表面積を有するカマボコ状の湾曲面５ｄが光り、湾曲面５ｄから放射状に光るので、複数の発光ダイオード３、・・・、３が点灯したときの視認性に優れている。また、丸みを帯びているので、看者に、柔らかいイメージを与えるので、デザイン的にも美しい。
【００４７】
また、透光カバー１の両側にストッパー突段部５ｂ、５ｂを形成し、受信器本体１２の開口部ｈ１を構成する表カバー１２ａ、裏カバー１２ｂの各々に形成した開口縁１２ｃ、１２ｃに、上下に移動可能に嵌入させる構造としているので、表カバー１２ａに形成した開口縁１２ｃと裏カバーに形成した開口縁１２ｃとの間に、透光カバー５を配置すれば、後は、表カバー１２ａと裏カバー１２ｂとを接合するだけで、透光カバー１を受信器本体１２へ取り付けることができる。これによっても、呼出受信発光部１の組立を容易に行える。
【００４８】
また、ストッパー突段部５ｂ、５ｂを両側に形成した基底部５ｃの上方にカマボコ状の湾曲面を設けた構造は、モールドにより作製できるので、透光カバー１の製造コストを低く抑えることができる。また、このワイヤレス呼出受信器Ａでは、複数の発光ダイオード３、・・・、３の各々のリード５ｂ、・・・、５ｂをＬ字状に折曲げたので、通常の方法にしたがって、リード５ｂ、・・・、５ｂの終端を回路基板２に対して、縦方向になるようにして、自動半田槽を用いた半田付け等の手段を用いて取り付けるだけで、容易且つ簡単に、複数の発光ダイオード３、・・・、３の各々が、各々の発光部３ａ、・・・、３ａを寝かすようにして、回路基板２に実装される。これによっても、呼出受信発光部１の組立を容易に行える。
【００４９】
更に、このワイヤレス呼出受信器Ａでは、受信器本体１２の表カバー１２ａ、裏カバー１２ｂ側に露見する両側面部分１２ｃ、１２ｃを、カマボコ状の湾曲面５ｄの上側稜線に対応した、下側谷線を有する輪郭形状に形成したので、透光カバー５のカマボコ状の湾曲面にした部分の両側面が、その中央部において大きくなるので、受信器本体１２を正面方向又は裏面方向に見た場合の呼出受信発光部１の視認性が優れている。
【００５０】
また、この例では、透光カバー５の正面５ｅ１、裏面５ｅ２に、各々、凸レンズの断面形状をした凸部５ｆ、５ｆを形成し、透光カバー５を押し操作した時に、この凸部５ｆ、５ｆが、カマボコ状の湾曲面５ｄの上側稜線に対応した、下側谷線を有する輪郭形状に形成した、両側面部分１２ｃ、１２ｃに当接するようにしてあるので、凸部５ｆ、５ｆが、透光カバー５を押し操作した時のストッパーとなり、これによって、透光カバー５の過度の押し操作が防止され、透光カバー５の押し操作時に、消灯スイッチ４が過度に押され壊れてしまうことを防止できるようにしてある。
【００５１】
次に、呼出受信発光部を構成する回路基板と受信器本体との取付け構造について説明する。図６は、呼出受信発光部を構成する回路基板と受信器本体との好ましい取付け構造の一例を概略的に説明する分解斜視図であり、また、図７は、回路基板を受信器本体に取り付けた状態を説明する図であり、図７（ａ）は、回路基板を受信器本体に取り付けた状態を概略的に説明する平面図であり、図７（ｂ）は、図７（ａ）中、ＶＩ−ＶＩ線にしたがう概略的な断面図である。
【００５２】
この呼出受信発光部１では、回路基板２は、受信器本体１２を構成する表カバー１２ａの内面に形成された受け止め部９、１０と、裏カバー１２ｂの内面に形成された受け止め部９、１０とによって、挟まれる状態にして固定されている。表カバー１２ａの内面に形成された受け止め部９は、裏カバー１２ｂの内面に形成された受け止め部９方向に突設するように設けられ、また、裏カバー１２ｂの内面に形成された受け止め部１０は、裏カバー１２ｂの内面に形成された受け止め部１０方向に突設するように設けられている。
【００５３】
この例では、表カバー１２ａに形成された受け止め部９には、裏カバー１２ｂに対向する側に開口を有する凹部９ａが設けられ、裏カバー１２ｂに形成された受け止め部９には、表カバー１２ａに対向する側に開口を有する凹部９ａが設けられており、凹部９ａ、９ａに、回路基板２が嵌合するようになっている。また、表カバー１２ａの内面に形成された受け止め部１０は、裏カバー１２ｂの内面に形成された受け止め部１０方向に突設するように設けられ、また、裏カバー１２ｂの内面に形成された受け止め部１０は、裏カバー１２ｂの内面に形成された受け止め部１０方向に突設するように設けられている。
【００５４】
この例では、表カバー１２ａに形成された受け止め部１０には、裏カバー１２ｂに対向する側に開口を有する凹部１０ａが設けられ、裏カバー１２ｂに形成された受け止め部１０には、表カバー１２ａに対向する側に開口を有する凹部１０ａが設けられており、凹部１０ａ、１０ａに、回路基板２が嵌合するようになっている。
【００５５】
この呼出受信発光部１では、回路基板１２を、受信器本体１２を構成する表カバー１２ａ、裏カバー１２ｂの各々の内面に対向して突設された受け止め部（９、９）、（１０、１０）によって、挟んでに固定できるようにしている。これにより、表カバー１２ａの内面に、裏カバー１２ｂ方向に突設された受け止め部９、１０と、裏カバー１２ｂの内面に、表カバー１２ａ方向に突設された受け止め部９、１０との間に、回路基板１２を配置し、後は、表カバー１２ａと裏カバー１２ｂとを接合するだけで、回路基板２を受信器本体１２へ取り付けることができろ。
また、表カバー１２ａ、裏カバー１２ｂの各々の内面に対向して突設された受け止め部（９、９）、（１０、１０）は、モールドにより、表カバー１２ａ、裏カバー１２ｂの各々を作製する際に、一体成形できるので、ネジが不要となり、且つ、表カバー１２ａ、裏カバー１２ｂの各々への回路基板２の位置合わせ作業や、ネジを用いて、表カバー１２ａ、裏カバー１２ｂの各々へ回路基板２を取り付ける、といった面倒な作業が不要になるので、図１０に示したように、呼出受信発光部１０１を構成する回路基板１０２を受信器本体１１２へ、ネジ１０６、１０６を用いて固定する構造にしたものに比べ、呼出受信発光部１は、組立を容易に行える。これにより、製造コストも低く抑えることができる。
【００５６】
尚、ここでは、呼出受信発光部１を構成する回路基板２と受信器本体１２との取付け構造として、受け止め部９、１０を用いたものについて説明したが、受け止め部９、１０の形状は、図６に示したものに限られず、種々の形状がある。また、ここでは、受け止め部９、１０を組み合わせて用いた例を示したが、受け止め部は、全ての受け止め部が、受け止め部９で構成されていても、受け止め部１０で構成されていてもよい。また、この例では、対向配置される受け止め部が、互いに同一形状となっている例について説明したが、受け止め部９と受け止め部１０とが、互いに、対向配置されるようにしてもよい。
【００５７】
次に、ワイヤレス呼出受信器Ａの動作について説明する。図８は、ワイヤレス呼出受信器Ａの構成を概略的に示すブロック図である。このワイヤレス呼出受信器Ａは、ＣＰＵ等で構成された信号処理部１２と、アンテナ１１によってワイヤレス発信器（図示せず）から発信されてきた信号を受信する信号受信部１３と、受信信号を復調する復調部１４と、発信制御を行うＰＬＬ制御部１５と、波形整形部１６と、スピーカ１７ａ等を備え、呼出音などを出力する報知部１７と、電源表示灯１８ａや用件ランプ１８ｂや発信器が電池切れであることを知らせる発信器電池交換表示灯１８ｃ等を備える表示部１８と、ＥＥＰＲＯＭ等で構成され、受信対象となるワイヤレス発信器（図示せず）のＩＤコードを登録するＩＤコード登録部１９と、受信対象となるワイヤレス発信器（図示せず）のＩＤコード登録部１９に入力するためのスイッチ等で構成された設定入力部２０と、ワイヤレス呼出受信器Ａに接続される他の機器（例えば、住宅情報盤など）に接点出力を行うリレー回路（図示せず）と、電源部２１とを備える。
【００５８】
また、図２中、１７ｂで示す部材は、スピーカ１７ａから出力される呼出音を調整する報知音量調整スイッチを、１７ｃは、呼出音の報知回数を設定する設定スイッチを、２０ａは、設定入力部２０より入力した、ワイヤレス発信器（図示せず）のＩＤコード登録部１９に記憶させたり、ＩＤコード登録部１９に記憶させたＩＤコードを消去する際に用いる、登録／消去ボタンを、各々、示している。
【００５９】
また、２２は、用件シール（トイレ、風呂等）等を貼付たり、書き込んだりする、用件表示部を示しており、この例では、用件表示部２２は、透明カバー（図示せず）を備え、透明カバー（図示せず）を外して、用件シール（トイレ、風呂等）等を貼付たり、書き込んだりし、その後、透明カバー（図示せず）で、用件シールや書込を覆うようにするものを採用している。
【００６０】
このワイヤレス呼出受信器Ａでは、ワイヤレス呼出受信器Ａに、ＩＤコードが登録された複数のワイヤレス発信器（図示せず）のいずれかから呼出信号をアンテナ１１が受信すると、複数の発光ダイオード３、・・・、３が点滅することで、呼出受信発光部１が所定時間（例えば、３０秒に設定している。）点滅を繰り返す。と同時に、ワイヤレス呼出受信器Ａの受信器本体１２の正面側に、複数のワイヤレス発信器（図示せず）の各々に対応して設けられた着信ランプ１８ａ、・・・、１８ａが、所定時間、複数のワイヤレス発信器（図示せず）の各々に対応して設けられた固有の呼出音とともに、点滅するようにされている。
【００６１】
そして、途中で、呼出受信発光部１を消灯させたいときには、透光カバー５を上方から押圧する。すると、操作突部５ａが消灯スイッチ４を押圧し、これにより、複数の発光ダイオード３、・・・、３が消灯し、呼出受信発光部１の点滅発光が解除される。これにより、特に、複数のワイヤレス発信器（図示せず）を登録している場合には、呼出受信発光部１が点滅中に、呼出受信発光部１の透光カバー５を上方から押圧するだけで、呼出受信発光部１の点滅を停止させることができるので、登録された、複数のワイヤレス発信器（図示せず）の次の呼出に対して、直ちに、対応することができるようになっている。
【００６２】
尚、この発明の実施の形態では、発光ダイオードが６個使用された例について説明したが、これは、単に例示であって、発光ダイオードは、回路基板の中央に形成した孔部を挟んで、それぞれの発光部の頂部が対向するように実装された、少なくとも一対あれば、よいということを付記しておく。
【００６３】
【発明の効果】
以上、詳細に説明したように、請求項１に記載のワイヤレス呼出受信器では、呼出受信発光部を構成する回路基板として、中央に孔部を形成したものを用い、消灯スイッチを、回路基板上に実装するのではなく、回路基板の孔部の下方に配設するようにし、回路基板上から、消灯スイッチを無くす構成としている。これにより、回路基板上に取り付ける、複数の発光ダイオードの各々を点灯させても、消灯スイッチによる影ができない。したがって、複数の発光ダイオードの各々を、回路基板に、寝かせるように取り付けても影ができることがない。
【００６４】
また、このワイヤレス呼出受信器では、複数の発光ダイオードの発光部の各々の頂部を、孔部を挟むようにして、対向するように回路基板に寝かせるように取り付けているので、呼出受信発光部を薄くすることができる。また、消灯スイッチを回路基板の中央の下方に設けることができるので、これに対応させて、複数の発光ダイオードを消灯する消灯スイッチを押し操作する操作突部も、透光カバーの中央に設けることができるため、複数の発光ダイオードを消灯させる時の呼出受信発光部の押圧感触にも優れている。
【００６５】
更に、複数の発光ダイオードを、回路基板上に、回路基板の中央に形成した孔部を挟んで、複数の発光ダイオードの各々の発光部の頂部が対向するように実装し、複数の発光ダイオードの各々の発光部が密集するようにしたので、呼出受信発光部を外側から見ると、複数の発光ダイオードが点灯した時に、一つの光源が点灯したようなるので、光源輝度が高い。これによっても、呼出受信発光部の点滅時の視認性が向上する。
【００６６】
また透光カバーは、上方にカマボコ状の湾曲面を設け、表面積を大きくしている。これにより、複数の発光ダイオードが点灯したときに、大きな表面積を有するカマボコ状の湾曲面が光り、湾曲面から放射状に光がでるので、複数の発光ダイオードが点灯したときの視認性に優れている。また、丸みを帯びているので、看者に、柔らかいイメージを与え、デザイン的にも美しい。
【００６７】
また、透光カバーの両側にストッパー突段部を形成し、受信器本体を構成する表カバー、裏カバーの各々に形成した開口縁に、上下に移動可能に嵌入させる構造としているので、表カバーに形成した開口縁と裏カバーに形成した開口縁との間に、透光カバーを配置すれば、後は、表カバーと裏カバーとを接合するだけで、透光カバーを受信器本体へ取り付けることができる。これによっても、呼出受信発光部の組立を容易に行える。
【００６８】
さらに、ストッパー突段部を両側に形成した基底部の上方にカマボコ状の湾曲面を設けた構造は、モールドにより作製できるので、透光カバーの製造コストを低く抑えることができる。
【００６９】
請求項２に記載のワイヤレス受信器では、透光カバーの操作突部にスプリングを外嵌するという簡単な構造で、透光カバーの保持構造が形成されるので、呼出受信発光部の組立てを容易且つ簡単に行える。
【００７０】
請求項３に記載のワイヤレス受信器では、回路基板を、受信器本体を構成する表カバー、裏カバーの各々の内面に対向して突設された受け止め部によって、挟んで固定できるようにしているので、表カバーの内面に裏カバー方向に突設された受け止め部と、裏カバーの内面に表カバー方向に突設された受け止め部との間に、回路基板を配置すれば、後は、表カバーと裏カバーとを接合するだけで、回路基板を受信器本体へ取り付けることができる。これによっても、呼出受信発光部の組立を容易に行える。
【００７１】
請求項４に記載のワイヤレス受信器では、複数の発光ダイオードの各々のリードをＬ字状に折曲げたので、通常の方法にしたがって、リードの終端を回路基板に縦方向になるようにして、半田付け等の手段を用いて取り付けるだけで、容易且つ簡単に、複数の発光ダイオードの各々が、回路基板に、各々の発光部を寝かすようにして、実装される。これによっても、呼出受信発光部の組立を容易に行える。
【００７２】
請求項５に記載のワイヤレス受信器では、受信器本体の表カバー、裏カバー側に露見する両側面部分を、カマボコ状の湾曲面の上側稜線に対応した、下側谷線を有する輪郭形状に形成したので、透光カバーのカマボコ状の湾曲面にした部分の両側面が、その中央部において大きくなるので、受信器本体を正面方向又は裏面方向に見た場合の呼出受信発光部の視認性が優れている。
【図面の簡単な説明】
【図１】本発明に係るワイヤレス呼出受信器の要部である呼出受信発光部の一例を概略的に示す分解斜視図である。
【図２】本発明に係るワイヤレス呼出受信器の外観構成を概略的に示す図であり、図２（ａ）は、ワイヤレス呼出受信器を正面から見た状態を概略的に示す正面図を、図２（ｂ）は、図２（ａ）に示すワイヤレス呼出受信器を、図２（ａ）中に示す矢印Ｉ方向に見た概略的な側面図である。
【図３】図１に示す呼出受信発光部を構成する、複数の発光ダイオードと、回路基板との構成を更に詳しく説明する、概略的な分解斜視図である。
【図４】複数の発光ダイオードと、回路基板との構成を更に詳しく説明する、側面図であり、図４（ａ）は、図１中に示す矢印ＩＩ方向に見た概略的な側面図であり、また、図４（ｂ）は、図１中に示す矢印ＩＩＩ方向に見た概略的な側面図である。
【図５】本発明に係るワイヤレス呼出受信器の、呼出受信発光部の構成及び動作を概略的に説明する断面図であり、図５（ａ）は、図１中、ＩＶ−ＩＶ線にしたがう概略的な断面図であって、透光カバーが押し操作されていない時の状態を示しており、また、図５（ｂ）は、図１中、Ｖ−Ｖ線にしたがう概略的な断面図であって、透光カバーが押し操作された時の状態を、各々、示している。
【図６】本発明に係るワイヤレス呼出受信器の、呼出受信発光部を構成する回路基板と受信器本体との好ましい取付け構造の一例を概略的に説明する分解斜視図である。
【図７】本発明に係るワイヤレス呼出受信器の、呼出受信発光部を構成する回路基板を受信器本体に取り付けた状態を説明する図であり、図７（ａ）は、回路基板を受信器本体に取り付けた状態を概略的に説明する平面図であり、図７（ｂ）は、図７（ａ）中、ＶＩ−ＶＩ線にしたがう概略的な断面図である。
【図８】本発明に係るワイヤレス呼出受信器の構成を概略的に示すブロック図である。
【図９】本発明者等が最初に考えだしたワイヤレス呼出受信器を概略的に示す正面図である。
【図１０】本発明者等が最初に考えだしたワイヤレス呼出受信器の呼出受信発光部の一例を概略的に示す図であり、図１０（ａ）は、本発明者等が最初に考えだしたワイヤレス呼出受信器の呼出受信発光部の一例の分解斜視図であり、又、図１０（ｂ）は、図１０（ａ）に示すワイヤレス呼出受信器の呼出受信発光部の一例の平面図である。
【図１１】従来のワイヤレス呼出受信器の一例を用いたワイヤレスシステムを概略的に示す構成図である。
【符号の説明】
Ａ ワイヤレス呼出受信器
１ 呼出受信発光部
２ 回路基板
３ 発光ダイオード
３ａ 発光部
３ｂ リード
４ 消灯スイッチ
５ 透光カバー
５ａ 操作突部
５ｂ ストッパー突段部
５ｃ 基底部
５ｄ カマボコ状の湾曲面
７ スプリング
９、１０ 受け止め部
１２ 発信器本体
１２ａ 表カバー
１２ｂ 裏カバー
ｈ１ 開口部
ｈ２ 孔部
【図１】
0003669467.tif 000002
【図２】
0003669467.tif 000003
【図３】
0003669467.tif 000004
【図４】
0003669467.tif 000005
【図５】
0003669467.tif 000006
【図６】
0003669467.tif 000007
【図７】
0003669467.tif 000008
【図８】
0003669467.tif 000009
【図９】
0003669467.tif 000010
【図１０】
0003669467.tif 000011
【図１１】
0003669467.tif 000012